(57)【要約】【課題】製品若しくは案内台車のための製品包装装置を提供して、該製品包装装置によって簡単な包装手段の使用に基づき、種々のタイプ若しくは寸法の案内台車のスムーズな収容及び搬送可能な包装を可能にする。【解決手段】製品包装装置の包装容器１は、少なくとも１つの製品若しくは案内台車に相応した凹設部２を有しており、該凹設部の形状は、外径寸法の互いに異なる種々のタイプの案内台車を受容できるように形成されている。【選択図】図１
2008222310.tif 000002
【特許請求の範囲】
【請求項１】
直線案内ユニット用の少なくとも１つの案内台車（３）を収容するためのパレット式の製品包装装置であって、前記案内台車は、積み重ねて貯蔵しかつ保護した状態で搬送するために、製品包装装置の包装容器（１）内に収容されるようになっている形式のものにおいて、包装容器（１）は、少なくとも１つの案内台車（３）に相応した凹設部（２）を有しており、該凹設部（２）の形状は、外径寸法の互いに異なる種々のタイプの案内台車（３）を受容できるように形成されていることを特徴とする、パレット式の製品包装装置。
【請求項２】
包装容器（１）の底部面（６）から突出するリブ（７）を設けてあり、該リブは、案内台車（３）の底部側の断面Ｕ字形の空所内に嵌まり込んで、包装容器内で案内台車（３）を位置決めしている請求項１に記載の製品包装装置。
【請求項３】
プラスチック製の薄い板材から成る包装容器（１）は、深絞り加工によって形成されている請求項１に記載の製品包装装置。
【請求項４】
包装容器（１）に再使用可能なカバー（４）を設けてあり、該カバーは包装容器（１）に入れ子式に被せ嵌められるようになっており、若しくは枢着手段によって包装容器に装着されている請求項１に記載の製品包装装置。
【請求項５】
包装容器（１）に再使用不能なカバー（４）を設けてあり、該カバーは、包装容器（１）に素材結合で取り付けられるシートによって形成されている請求項１に記載の製品包装装置。
【請求項６】
カバー（４）は透明なプラスチックから成っている請求項４又は５に記載の製品包装装置。
【請求項７】
包装容器（１）は、案内台車（３）の受容のための凹設部（２）のほかに、書類の受容のための少なくとも１つの空所（２′）を備えている請求項１から６のいずれか１項に記載の製品包装装置。
【請求項８】
包装容器（１）は、案内台車（３）の受容のための隣接の凹設部（２）間に、切り離し手段としてパーフォレーション（８）を有している請求項１から７のいずれか１項に記載の製品包装装置。
【請求項９】
包装容器（１）は、該包装容器とカバー（４）との間にも切り離し手段としてパーフォレーション（８）を有している請求項５に記載の製品包装装置。
【請求項１０】
包装容器（１）の各凹設部（２）は相対する側に、該凹設部内に受容されている案内台車（３）の取り出しのためのアクセス用へこみ部（５ａ，５ｂ）を備えて形成されている請求項１から９のいずれか１項に記載の製品包装装置。
【請求項１１】
包装容器（１）は標準の１つの梱包用カートン内に収容されるようになっている請求項１から１０のいずれか１項に記載の製品包装装置。
【請求項１２】
凹設部（２）は、底部面（６）から出発して広がるように形成されている請求項１から１１のいずれか１項に記載の製品包装装置。
【請求項１３】
包装容器（１）はブリスター包装容器として成形されている請求項１から１２のいずれか１項に記載の製品包装装置。
【発明の詳細な説明】
【技術分野】
【０００１】
本発明は、機械装置若しくは設備の少なくとも１つの構成部品、例えば直線案内ユニット用の少なくとも１つの案内台車を収容するためのパレット式の製品包装装置であって、前記構成部品若しくは案内台車は、積み重ねて貯蔵しかつ保護した状態で搬送するために、製品包装装置の包装容器内に収容されるようになっている形式のものに関する。
【背景技術】
【０００２】
本発明の利用範囲は、直線案内ユニット若しくはリニアガイド装置（直動ユニット）の可動の構成部分若しくは構成部品を形成する案内台車若しくはガイドキャリッジに広がっている。直線案内ユニットは、工業用の装置若しくは設備内で機械部品の正確な案内のために用いられ、案内ベース、及び案内ベース上に支持されかつ案内ベースに沿って移動可能な案内台車（往復台）から成っている。
【０００３】
一般的に案内台車の包装若しくは梱包に用いられる製品包装装置は、包装容器を有しており、包装容器（荷造り用容器）は、厚紙やボール紙若しくは板紙等から成る簡単な箱として形成されており、箱内に案内台車を収容して、箱内で案内台車を安定させかつ保護するために、案内台車の回りに、一般的な充填材料、例えば段ボール、シート若しくはフォイル等の詰め物を詰めるようにしている。各タイプ若しくは種類の案内台車にはそれぞれの適切な箱を用いて、案内台車と箱の壁との間のスペースには充填材を詰めている。外部の環境の影響、例えば湿気や風雨から保護するために、案内台車は、箱内に収容して充填材によって安定化する前に、シート製袋に入れられるようになっている。案内台車と箱の壁との間のスペースに充填材を詰める際には、書類若しくは組立説明書或いは広告冊子等の収容のための十分なスペースを確保するためにも注意を払わなければならない。
【０００４】
前述の包装手段は、欠点として案内台車の包装のために多くの手間及び時間を必要としている。さらに、各タイプ若しくは寸法の案内台車にとって種々の大きさの箱を用意しておかなくてはならず、このことは費用を増大させることになる。
【発明の開示】
【発明が解決しようとする課題】
【０００５】
本発明の課題は、少なくとも１つの案内台車のための製品包装装置を提供して、該製品包装装置によって簡単な包装手段の使用に基づき、種々のタイプ若しくは寸法（サイズ）の案内台車の手間のかからないスムーズな収容及び搬送可能な包装を可能にすることである。
【課題を解決するための手段】
【０００６】
本発明に基づく構成では、案内台車のために設けられた包装容器は、案内台車と合致する凹設部（受容部）を有しており、この場合に凹設部の形状は、外径寸法の互いに異なる種々のタイプの案内台車を受容できるように形成されている。
【０００７】
有利な実施態様では、包装容器内に底部面から突出していて多様に適合するリブを設けてあり、該リブは、案内台車の底部側の断面Ｕ字形の空所内に嵌まり込んで、つまり形状係合して、包装容器内で案内台車を位置決めするようになっている。
【０００８】
本発明による利点は特に、案内台車に特殊化された包装手段に基づき、費用のかかる包装材料及び包装時間を削減できることにある。さらに本発明により、案内台車を外部の環境の影響に対して保護しかつ潤滑材等の不都合な漏れ出しを防止するために従来用いられていた付加的なシート製袋は省略される。複数の案内台車を唯一の包装容器内に収納できるようになっているので、書類の数も節減され、それというのは包装装置毎に１つの書類だけで十分であるからである。本発明に基づく包装容器は、多様な案内台車を収納できるように形成されているので、種々の案内台車からなる一そろいの物品を１つの包装容器内に収納して、顧客に搬送することができるようになっている。
【０００９】
案内台車を受容するために包装容器内に設けられる凹設部の数は、本発明に基づく手段では任意に選ばれるようになっている。多くの場合に製品包装装置には４つ若しくは４の複数倍の数の案内台車を包装するようになっているので、包装容器は４つの案内台車若しくは４の複数倍の数の案内台車を受容できるようになっている。これによって、本発明に基づく製品包装装置で搬送される案内台車は、顧客の要求に適合して処理されるようになっている。
【００１０】
本発明の有利な実施態様では、プラスチック製の薄い板材（薄壁状のプラスチック）から成る包装容器は、深絞り加工によって形成されている。包装容器を形成するプラスチック製の板材（プレート）の厚さは、最大の製品重量に適合されている。厚さの寸法設定に際しては、パレット状の製品包装装置を互いに上下に複数段積み重ねることも考慮される。包装容器のためのプラスチックの材料選択は、包装容器が案内台車のために用いられる油、グリス若しくは別の酸化防止剤に対して耐えるものになるように行われる。
【００１１】
本発明の実施態様では、パレット式の製品包装装置は蓋なしに用いられてよく、このことは製品包装装置内への案内台車の収納及び取り出しを簡単にしている。
【００１２】
本発明の別の実施態様では、製品包装装置の包装容器をカバー（蓋）によって閉鎖して、包装容器内に収容された案内台車を特に輸送中に保護するようになっている。このために包装容器に再使用可能なカバーを設けてあり、つまり該カバーは包装容器にテレスコープ式若しくは入れ子式（箱蓋式）に被せ嵌められるようになっており、若しくは枢着手段若しくはヒンジ部材によって包装容器に取り付けられている。再使用可能なカバーは、包装容器と同じプラスチックから成っていて、壁厚さ及び適切な形状付与によって形状安定に形成されていてよい。本発明のさらに別の実施態様では、カバーとして、素材結合により包装容器に取り付けられるシートを用いることも可能である。カバーとしてのシート（薄膜状のカバー）と包装容器との間の素材結合は、熱溶着結合や超音波結合若しくは接着によって行われてよい。
【００１３】
本発明の有利な実施態様では、包装容器のカバーは透明なプラスチックから成っており、これによって、包装容器内に収納されている案内台車の数量は、カバーを取り外すことなしに外部から確認できるようになっている。
【００１４】
本発明のさらなる改善に寄与する実施態様では、包装容器は、案内台車の受容のための凹設部のほかに、有利には中央部にパンフレット若しくは組立説明書等の書類の受容のための少なくとも１つの空所（凹み部、切欠き部若しくは別の凹設部）を備えている。付加的な、つまり書類の受容のための少なくとも１つの空所は、案内台車の受容のための中央の１つの凹設部の底部のみに設けられると十分であるものの、必要に応じて各凹設部に設けられてもよい。有利な実施態様では、書類の受容のための空所の側面（周面）を画成する輪郭（寸法）は、案内台車の受容のための凹設部の輪郭（寸法）に相応して形成されており、その結果包装容器は、書類の受容のための空所（付加的な機能）を備えているにもかかわらず、碁盤縞若しくは市松模様の構造（構成パターン）を保っている。付加的な空所は、組立説明書のほかに別の組立部材、例えばグリスニップルやグリースカップ若しくはグリースガン等を受容するようになっていてよい。
【００１５】
本発明の有利な実施態様では、包装容器には、案内台車の受容のための隣接の凹設部間に、若しくは凹設部の列に沿ってパーフォレーション（ミシン目）を設けてある。パーフォレーションは、各凹設部の切り離し手段（分割線）として用いられるものである。包装容器に、包装容器と一体結合されたカバー、例えば一体ヒンジで結合されたカバーを設けてある場合には、パーフォレーションをカバーの縁に、つまりカバーと包装容器との間にも設けてあり、これによってカバーは包装容器から容易に切り離されるようになっている。
【００１６】
本発明の改善に寄与する別の実施態様では、包装容器の各凹設部は相対する側に、該凹設部内に受容されている案内台車の取り出しのためのアクセス用へこみ部、つまり案内台車をつかむために手を差し込めるようになっているへこみ部若しくは切欠き部を備えて形成されている。アクセス用へこみ部は、包装容器を深絞り加工する際に、つまり型により変形加工する際に一緒に成形されて、凹設部に向かって開口している、すなわち凹設部に直接につながるようになっている。
【００１７】
本発明の有利な実施態様では、凹設部の側面（周壁面）は、凹設部の開口部側から凹設部の底部面に対してほぼ垂直に延びる第１の区分、該区分に接続していてかつ底部面に対して傾斜して底部面に向かって先細に延びる第２の区分によって形成されている。このような構成により、幅の狭い案内台車は側面の第２の区分に接触し、幅の広い案内台車は側面の第１の区分に接触するようになっており、つまり側面の第２の区分によって幅の狭い案内台車を支持し、側面の第１の区分によって幅の広い案内台車を支持するようになっている。
【００１８】
案内台車を受容した包装容器は、有利には標準の梱包用カートン（ボール箱若しくは輸送用紙箱）内に収容されるようになっている。これによって、案内台車の重量は包装容器の容器縁部を介して梱包用カートンに伝えられるようになり、その結果、包装容器を収容する梱包用カートンは複数段にわたって高く積み重ねられる。梱包用カートン若しくは包装容器を積み重ねてなる積み重ね品（積層体若しくはパイル）の内部での重量伝達は、上下に位置する案内台車を介してではなく、凹設部の周囲の突出する容器縁部を介して行われ、したがって手荒な積み重ねに際して生じる不都合な衝撃力は案内台車を介してではなく包装容器を介して受け止められる。同様の作用効果は、梱包用カートンを用いない場合でも、突出する容器縁部を内側へ斜めに形成して、材料強度を相応に高めることによっても達成される。
【００１９】
本発明の有利な実施態様では、包装容器はブリスター包装の形で成形されていてよいものである。
【発明を実施するための最良の形態】
【００２０】
図面に本発明の有利な実施例を示してある。図１は包装容器及びカバーから成るパレット式の製品包装装置の斜視図であり、図２は図１の包装容器の拡大斜視図であり、図３は図１の包装容器の、案内台車を収納した状態での平面図であり、図４は図３の包装容器の断面図である。
【００２１】
図１に示す包装容器１は、図示省略の直線案内ユニット（リニアガイド装置）用の各１つの案内台車（３）の収容するための全体で９つの凹設部２を備えている。
【００２２】
包装容器１はプラスチックシートから変形加工、殊に深絞り加工によって製造されている。包装容器１をカバー４によって閉鎖するようになっており、カバー（蓋）は包装容器１に被せ嵌められるようになっている。カバー４の縁部（側壁）は、閉じた状態で、つまり包装容器に被せ嵌めた状態で、包装容器１の高さのほぼ三分の二にわたって包装容器の側壁と重なるようになっている。これによってカバー４は包装容器１と形状係合に基づき、若しくは嵌め合いに基づき、或いは摩擦力に基づき取り外し可能に結合されおり、その結果カバーを再利用することができるようになっている。包装容器１内の内容物を外から識別できるようにするために、カバー１４は透明なプラスチックから成っている。
【００２３】
特に図２に明瞭に示してあるように、案内台車（図２には示されず）の受容のための各凹設部２は、該凹設部２に関連して相対して位置するアクセス用へこみ部５ａ，５ｂと一緒に成形されており、アクセス用へこみ部（差込切欠き部）は、凹設部内に受容（収納）されている案内台車の容易な取り出しのために用いられるようになっているものである。各凹設部２は、包装容器１の底部面６から突出するリブ（突起部）７を有しており、該リブ（ウエブ若しくは条片状構成部分）は、案内台車３の底部側の断面Ｕ字形の空所内に、形状係合して、つまり嵌まり込んで、包装容器１内での案内台車３の確実な位置決めを行うようになっている。
【００２４】
図４に示してあるように、リブ７は種々のタイプの案内台車３，３′に合うように形成されている。各タイプの案内台車は底部側に同一に形成された断面Ｕ字形の空所を有している。包装容器１の中央に空所２′を設けてあり、該空所（切欠き部）は記録書類、例えば使用説明書等の収容のために用いられるようになっている。包装容器１には隣接する凹設部２間に、直線状に延びるパーフォレーション（ミシン目）８を設けてあり、該パーフォレーションは分離手段（切り離し線）を成していて、包装容器１から各案内台車３を個別に切り離せるようにしている。
【００２５】
図４には、案内台車３と対応する凹設部２との間の形状係合式の結合部、つまり嵌め合い式の結合部を示してあり、この場合に中央のリブ７は、案内台車３の底部側の断面Ｕ字形の空所内に嵌まり込んでいる。案内台車３はさらに、底部面６の側方に続く側面９によって位置決めされるようになっている。この場合に側面９は、底部面６の側方に続く第２の区分と該第１の区分から底部面６に対してほぼ垂直に延びる第１の区分によって形成されていてよく、第２の区分、つまり底部面６と前記垂直な第１の区分との間に位置する区分は、底部面６に対して傾斜して配置され、かつ底部面６に向かって先細に、つまり狭くなっており、幅の狭い案内台車３は側面９の第２の区分と接触し、広い案内台車は側面９の第１の区分と接触するようになっている。
【００２６】
本発明は、図示の実施例に限定されるものではなく、種々に変更して用いられるものである。包装容器１を、全体で９つの凹設部２，２′よりも多くの数の凹設部で形成することも可能である。包装容器のためのカバーは、かぶせ式のカバーとして形成することを必須とするものではない。カバーを、包装容器に溶着結合されたシート、箔若しくは類似のものによって形成することも可能である。
【図面の簡単な説明】
【００２７】
【図１】製品包装装置の斜視図
【図２】図１の包装容器の拡大斜視図
【図３】図１の包装容器の、案内台車を収納した状態での平面図
【図４】図３の包装容器の断面図
【符号の説明】
【００２８】
１  包装容器、  ２  凹設部、  ３  案内台車、  ４  カバー、  ６  底部面、７  リブ、  ８  パーフォレーション、  ９  側面
【図１】
2008222310.tif 000003
【図２】
2008222310.tif 000004
【図３】
2008222310.tif 000005
【図４】
2008222310.tif 000006